(57)【特許請求の範囲】
【請求項１】
容器内に液状製品を充填する充填ノズルにおいて、該充填ノズルに、充填時に容器から跳ね返ってくるハネ液を捕集するカバーを該充填ノズルの少なくとも吐出側を包囲する筒状に形成して設けると共に、該カバーにはカバーの内面に付着したハネ液をカバー内に滞留させる複数の保液穴を穿設したことを特徴とする充填ノズル。
【請求項２】
請求項１に記載の充填ノズルを有する液状製品充填用の充填装置。
【発明の詳細な説明】
【０００１】
【発明の属する技術分野】
本発明は、デザート製品等の液状製品を容器に充填する充填ノズル、及び該ノズルを備えた充填装置に関し、更に詳細には液状製品の液ハネにより容器等に液状製品が付着する不具合を解消するための充填ノズル及び充填装置に関する。
【０００２】
【従来の技術】
従来、プリン、ゼリー、ヨーグルト等のデザート製品を容器に充填する際には、例えば図３に示すような充填ノズルを用いている。この充填ノズル１は、図示しない充填装置に固定され、或いは昇降自在に取り付けられ、所定位置にコンベア等で搬送されてくる容器（カップ）１０の内部にデザート製品等の液状製品を注入し、所定量充填するようになっている。液状製品の充填を終えた容器１０は、開口縁部１１にプラスチックフィルムやアルミ箔などの蓋材をシールして密封される。
【０００３】
【発明が解決しようとする課題】
しかしながら、このような従来の液状製品の充填ノズルにあっては、ノズル１から容器１０内に注入された液状製品の一部が跳ね返って、そのハネ液が容器１０の開口縁部１１に付着し、蓋材の接着不良を来したり、あるいはハネ液が容器１０階に飛び出し、隣接する容器外面に付着したり、コンベア上に落ちて容器を汚すなどの問題があった。
【０００４】
本発明は上記事情に鑑みてなされたものであり、デザート製品等の液状製品を充填する充填ノズルにおいて、充填液の飛散を防止してシール不良品の発生を無くし、且つ容器等の汚れ付着を防止することができる充填ノズル及び充填装置の提供を目的としている。
【０００５】
【課題を解決するための手段】
上記目的を達成するために、本発明は、容器内に液状製品を充填する充填ノズルにおいて、該充填ノズルに、充填時に容器から跳ね返ってくるハネ液を捕集するカバーを該充填ノズルの少なくとも吐出側を包囲する筒状に形成して設けると共に、該カバーにはカバーの内面に付着したハネ液をカバー内に滞留させる複数の保液穴を穿設したことを特徴とする充填ノズルを提供する。
さらに本発明は、請求項１に記載の充填ノズルを有する液状製品充填用の充填装置を提供する。
【０００６】
この充填ノズル、及び該充填ノズルを備えた充填装置によれば、充填ノズルから容器内に注入される充填液の一部が跳ね返ったとしても、ハネ液はカバーに捕集され、ハネ液が飛散することが防止される。
またカバーに保液穴を形成したことにより、カバーに付着したハネ液をカバー中に保持する保液性が高められ、カバーに付着したハネ液が容器上に垂れ落ちることを防止できる。
【０００７】
【発明の実施の形態】
以下、本発明の実施の形態を添付図面を参照して説明する。
図１は、本発明に係る充填ノズルの一形態を示すものであり、この充填ノズル１は、例えばプリン、ゼリー、ヨーグルト等のデザート製品の製造ラインに設けられた図示しない液状製品充填用の充填装置に取り付けられている。充填装置の構造は特に限定されず、例えば回転可能な円形の架台の周縁に複数の充填ノズルを昇降可能に設け、コンベア等によって所定位置に搬送される容器１０の上方に位置した充填ノズルが下降し、容器１０内に所定量の液状製品を注入する構成とし得る。
【０００８】
充填ノズル１は、図２に示すように、分岐ブロック３によって導液路を複数本の分岐管４に分け、これら複数本の分岐管４から液状製品を容器１０に注入するようになっている。このように複数本の分岐管４を設けることにより、比較的濃度の高い液状製品であっても、迅速に容器１０内に充填することができるとともに、容器１０内の充填物の局部的な盛り上がりを減じることができる。
【０００９】
この充填ノズル１には、図１に示すように、液状製品を容器１０内に充填する際に、容器１０から跳ね返ってくるハネ液を捕集するためのカバー５が設けられている。カバー５は、ノズル１と容器１０の開口縁部１１の間を包囲するように、充填ノズル１から垂下する筒状に形成されている。カバー５の下端は、容器１０の開口縁部１１に近接した位置に設けられている。液状製品充填の際、容器１０からハネ液が出たとしても、ハネ液はカバー５の内面に当たり、開口縁部１１に付着することがない。このカバー５は、充填ノズル１に固着しても良いし、カバー５だけ取り外して洗浄するために、充填ノズル１にカバー５を着脱可能に取り付けた構成としても良い。
【００１０】
カバー５には、その内面に付着したハネ液をカバー５内に滞留（保液）させるための複数の保液穴６が穿設されている。保液穴６の数、穴径、形状は、カバー５内面の保液性を向上させる目的を達成し得るなら特に限定されないが、カバー５に直径０．５〜５ｍｍ程度の保液穴を１０個以上設けることが好ましい。なお、本例示では、カバー５を充填ノズル１の少なくとも吐出側を包囲する筒状に形成したが、ハネ液を確実に捕集できるならばカバー５の形状はこれに限定されることなく、逆椀状、コーン状などの形状としても良い。
【００１１】
この充填ノズル１によるハネ液飛散防止の作用を説明する。図１に示すように、カップ形状の容器１０は、コンベアによって所定の充填位置まで搬送されてくる。充填ノズル１が昇降可能に取り付けられた充填装置の場合には、充填ノズル１が下降し、カバー５の下端が容器１０の開口縁部１１に近接した位置に達する。次いで充填ノズル１の吐出口から、デザート製品等の液状製品を容器内に注入し、所定量の液状製品を充填する。この充填の際、容器１０に注入される液状製品の一部が跳ね返る場合がある。この充填ノズル１は、そのハネ液を捕集するためのカバー５を設けてあるので、容器１０から飛び出すハネ液は、カバー５の内面に当たり、該面に付着する。そしてハネ液が容器１０の開口縁部１１等に付着することなく、液状製品が充填される。充填終了後、容器１０の開口縁部１１には、合成樹脂フィルムやアルミ箔などからなる蓋材をシールすることによって密封し、包装工程を経て製品とされる。
【００１２】
この充填ノズル１は、容器１０から跳ね返ったハネ液を捕集するためのカバー５を設けたことによって、液状製品を容器１０内に充填する際、容器１０から跳ね返ってくるハネ液をカバー５で捕集し、ハネ液が容器１０の開口縁部１１に付着して蓋材をシールする際に密封不良を生じたり、あるいはハネ液が充填ノズル等に付着後、落下してコンベアや他の容器１０を汚すなどの不具合を防止することができる。
【００１３】
また、カバー５を充填ノズル１の少なくとも吐出側を包囲する筒状に形成したので、ハネ液を確実にカバー５内面で捕集することができる。さらにカバー５に多数の保液穴６を形成したことによって、カバー５内面に付着したハネ液を保液穴６で保留し、ハネ液が滴り落ちて容器１０やコンベア上を汚すことを防止できる。
【００１４】
さらに、上記充填ノズル１を備えた充填装置は、シール不良品や容器汚れなどの不良発生を防止することができ、歩留まりを向上できるとともに、不良品の除去やコンベア清掃などの作業を軽減でき、生産性を向上させることができる。
【００１５】
【実施例】
以下、実施例により本発明の効果を実証する。
（実施例）
図１に示すように、充填ノズル１に円筒形のカバー５を取り付けた。このカバー５には、上部２個所、中部１２個所、下部１２個所の合計２６個所に、直径３ｍｍの円形の保液穴を形成した。
【００１６】
（比較例）
図３に示すように、充填ノズル１にカバーを取り付けない。
【００１７】
前記実施例および比較例のそれぞれの充填ノズルを用い、図１に示す形状のカップ状容器１０内に、実際にデザート製品を充填し、ハネ液付着の有無を比較した。
実験の結果、実施例の充填ノズルは、ハネ液がカバー５の内面に付着していたが、容器１０の開口縁部１１やその他の外面にハネ液が付着したものは全くなかった。一方、比較例の充填ノズルは、ハネ液が開口縁部１１に付着するものが生じた。
【００１８】
【発明の効果】
本発明の充填ノズルは、容器から跳ね返ったハネ液を捕集するためのカバーを設けたことによって、液状製品を容器内に充填する際、容器から跳ね返ってくるハネ液をカバーで捕集し、ハネ液が容器の開口縁部に付着して蓋材をシールする際に密封不良を生じたり、あるいはハネ液が充填ノズル等に付着後、落下してコンベアや他の容器を汚すなどの不具合を防止することができる。
【００１９】
また、カバーを充填ノズルの少なくとも吐出側を包囲する筒状に形成したので、ハネ液を確実にカバー内面で捕集することができる。さらにカバーに多数の保液穴を形成したことによって、カバー内面に付着したハネ液を保液穴で保留し、ハネ液が滴り落ちて容器やコンベア上を汚すことを防止できる。
【００２０】
さらに、上記充填ノズルを備えた充填装置は、シール不良品や容器汚れなどの不良発生を防止することができ、歩留まりを向上できるとともに、不良品の除去やコンベア清掃などの作業を軽減でき、生産性を向上させることができる。
【図面の簡単な説明】
【図１】  本発明の充填ノズルの正面図である。
【図２】  本発明の充填ノズルの正面断面図である。
【図３】  従来の充填ノズルの正面図である。
【符号の説明】
１    充填ノズル
５    カバー
６    保液穴
１０  容器
【図１】
0004318866.tif 000002
【図２】
0004318866.tif 000003
【図３】
0004318866.tif 000004